(57)【要約】  柔軟に構築可能な中継システム、及び、この中継システムを備えてより安定的な通信を可能とする無線通信システム。中継システムを構成するマスタ端末である移動局（２００）は同期信号を送信し、スレーブ端末である移動局（３００）は同期信号を受信し、移動局（２００）及び移動局（３００）は、基地局装置（１００）から送信されたデータを、同期信号に基づいて互いに送信タイミングを合わせて無線ＬＡＮ端末（４００）に送信する。こうすることにより、複数の移動局で柔軟に中継システムが構築されるので、従来のように中継端末のＲＦリソースの数、及びその使用状況によって通信ができない状況を回避できる可能性を高くすることができる。よって、この中継システムを備えることにより、より安定的な通信を可能とする無線通信システムが実現される。
2009113129.tif 000002
【特許請求の範囲】
【請求項１】
ＭＩＭＯ通信可能な無線ＬＡＮ端末と、
インターネット回線へのパスを提供する移動通信システムの基地局装置であって、前記無線ＬＡＮ端末宛の送信データを複数の部分送信データに分割し、前記複数の部分送信データを前記移動通信システムの通信方式で分割多重送信する基地局装置と、
前記移動通信システムの通信インタフェースと前記無線ＬＡＮとの通信インタフェースを有し、受信データから互いに異なる部分送信データを抽出すると共に、前記抽出された部分送信データを無線ＬＡＮの形式に変換した上で前記無線ＬＡＮ端末へ同期して送信する無線端末群からなる中継システムと、
を具備する無線通信システム。
【請求項２】
前記中継システムは、１つの中継マスタ無線端末と、それ以外の中継スレーブ無線端末とからなり、前記中継マスタ無線端末が前記中継スレーブ無線端末に同期信号を送信することにより、送信タイミングを合わせる、請求項１に記載の無線通信システム。
【請求項３】
第１の無線通信システムに対応するインタフェースと第２の無線通信システムに対応する無線インタフェースとを備える無線端末群から構成され、前記第１の無線通信システムと第２の無線通信システムとの間のデータ伝送を中継する中継システムであって、
招集信号を送信し、前記招集信号に対する参加表明信号の送信元無線端末の中からスレーブ無線端末を選択し、当該スレーブ無線端末に同期信号を送信する中継マスタ無線端末と、
前記招集信号に対応して前記参加表明信号を送信し、前記同期信号を受信する中継スレーブ無線端末と、を具備し、
前記中継マスタ無線端末及び前記中継スレーブ無線端末は、前記第１の無線通信システムの送信元通信装置から送信されたデータを、前記同期信号に基づいて互いに送信タイミングを合わせて前記第２の無線通信システムの送信先通信装置に送信する、中継システム。
【発明の詳細な説明】
【技術分野】
【０００１】
本発明は、中継システム及び無線通信システムに関する。
【背景技術】
【０００２】
基地局やアクセスポイントを必要とせず、無線で接続できる無線端末(パソコン、ＰＤＡ、携帯電話等)のみで構成された自立分散型の無線ネットワークであるアドホックネットワークに関して、様々な場所で検討されてきている。アドホックネットワークは、アクセスポイント等のインフラ(Infrastructure)が存在しない場所でも簡易にネットワークを構築することができる。【０００３】
また、無線通信の高速化を実現する技術として、ＭＩＭＯ（Multiple Input Multiple Output）通信がある。ＭＩＭＯは、送信および受信にそれぞれ複数のアンテナを用いる空間多重伝送技術であり、複数のデータを複数のアンテナから同じ周波数で同時に送信する。ＭＩＭＯでは、同時に送受信できるチャネルが増えるので、単位時間あたりの通信量が増加し、通信速度を向上させることができる。【０００４】
上記アドホックネットワークにＭＩＭＯ通信方式を適用させた無線通信システムが、例えば、特許文献１に開示されている。この無線通信システムでは、ＭＩＭＯ送受信機の余剰のアンテナリソースを効率よく活用して、ＭＩＭＯ通信方式のマルチホップ・ネットワークを実現している。【０００５】
この無線通信システムにおける通信について、複数のアンテナを具備する端末Ａ、Ｂ、Ｃ、Ｄが存在する場合を例にとり図１を参照して説明する。同図において、端末Ａと端末Ｄとの間では、両端末が同一の通信エリア内に存在しているため、ＭＩＭＯ伝送が可能である一方で、端末Ｂと端末Ｃとの間では、両端末の通信エリアが異なるため、直接にＭＩＭＯ伝送できない。そのため、端末Ｂ及び端末Ｃとの通信可能範囲にある端末Ｄに対する中継の依頼が行なわれる。端末Ｄは２つのアンテナをＭＩＭＯ通信に使用しているので、残り１つのアンテナリソースを用いて中継可能である旨の了解応答を端末Ｂ及び端末Ｃに送信する。そして、端末Ｂを送信元、送信宛先を端末Ｃとするパケットが、端末Ｄを介して伝送される。  
【特許文献１】特開２００６−１４８３８８号公報
【発明の開示】
【発明が解決しようとする課題】
【０００６】
しかしながら、上記した従来の無線通信システムにおいては、次のような場合には通信ができない。図２に示されるような状況において、端末Ｅが端末Ｄを経由して端末Ｆと通信を行おうとする場合、両端末Ｅ及びＦとの通信可能範囲にある端末Ｄは、すでに他の端末と通信を行っており空きＲＦリソースがないため、端末Ｄを経由する通信が不可能となる。これは、中継点である端末を端末Ｄ以外の端末に変更しても同様に起こりうる。すなわち、従来の無線端末システムでは、中継端末のＲＦリソースの数、及びその使用状況に依存して通信の可否が決定されてしまう。【０００７】
本発明の目的は、柔軟に構築可能な中継システム、及び、この中継システムを備えてより安定的な通信を可能とする無線通信システムを提供することである。
【課題を解決するための手段】
【０００８】
本発明の中継システムは、第１の無線通信システムに対応するインタフェースと第２の無線通信システムに対応する無線インタフェースとを備える無線端末群から構成され、前記第１の無線通信システムと第２の無線通信システムとの間のデータ伝送を中継する中継システムであって、招集信号を送信し、前記招集信号に対する参加表明信号の送信元無線端末の中からスレーブ無線端末を選択し、当該スレーブ無線端末に同期信号を送信する中継マスタ無線端末と、前記招集信号に対応して前記参加表明信号を送信し、前記同期信号を受信する中継スレーブ無線端末と、を具備し、前記中継マスタ無線端末及び前記中継スレーブ無線端末は、前記第１の無線通信システムの送信元通信装置から送信されたデータを、前記同期信号に基づいて互いに送信タイミングを合わせて前記第２の無線通信システムの送信先通信装置に送信する構成を採る。【０００９】
本発明の無線通信システムは、ＭＩＭＯ通信可能な無線ＬＡＮ端末と、インターネット回線へのパスを提供する移動通信システムの基地局装置であって、前記無線ＬＡＮ端末宛の送信データを複数の部分送信データに分割し、前記複数の部分送信データを前記移動通信システムの通信方式で分割多重送信する基地局装置と、前記移動通信システムの通信インタフェースと前記無線ＬＡＮとの通信インタフェースを有し、受信データから互いに異なる部分送信データを抽出すると共に、前記抽出された部分送信データを無線ＬＡＮの形式に変換した上で前記無線ＬＡＮ端末へ同期して送信する無線端末群からなる中継システムと、を具備する構成を採る。
【発明の効果】
【００１０】
本発明によれば、任意の場所に柔軟に通信容量を増加できる無線ＬＡＮアクセスポイントを構築可能な中継システム、及び、この中継システムを備えてより安定的な通信を可能とする無線通信システムを提供することができる。
【図面の簡単な説明】
【００１１】
【図１】アドホックネットワークにＭＩＭＯ通信方式を適用させた従来の無線通信システムの説明に供する図
【図２】アドホックネットワークにＭＩＭＯ通信方式を適用させた従来の無線通信システムの説明に供する他の図
【図３】本発明の実施の形態１に係る基地局装置の構成を示すブロック図
【図４】実施の形態１に係る移動局（中継マスタ端末）の構成を示すブロック図
【図５】実施の形態１に係る移動局（中継スレーブ端末）の構成を示すブロック図
【図６】実施の形態１に係る無線ＬＡＮ端末の構成を示すブロック図
【図７】実施の形態１に係る無線通信システムの動作（下り伝送）説明に供する図
【図８】実施の形態１に係る無線通信システムの動作（上り伝送）説明に供する図
【図９】実施の形態２に係る無線通信システムの動作（上り伝送）説明に供する図
【発明を実施するための最良の形態】
【００１２】
以下、本発明の実施の形態について図面を参照して詳細に説明する。【００１３】
（実施の形態１）
図３に示す本実施の形態に係る基地局装置１００は、第１の通信方式で後述する移動局２００及び移動局３００と通信を行う。ここでは、第１の通信方式として、ＩＭＴ−２０００で定められているＷＣＤＭＡ方式が適用される場合について説明するが、これに限定されるものではない。【００１４】
図３に示すように本実施の形態に係る基地局装置（ＢＳ）１００は、送信データ生成部１１０と、データ変調部１２０と、分割多重部１３０と、ＲＦ部１４０と、分離部１５０と、データ復調部１６０とを有する。【００１５】
送信データ生成部１１０は、送信データ系列を生成する。さらに送信データ生成部１１０は、後述する移動局２００から送信された中継システム情報に基づいて、中継システム情報中継局として選択された移動局の数と同数の部分送信データ系列に送信データ系列を分割する。得られた部分送信データ系列は、データ変調部１２０に送出される。【００１６】
データ変調部１２０は、送信データ生成部１１０にて生成された部分送信データ系列に対して、予め定められた変調方式（例えば、ＢＰＳＫ、ＱＰＳＫなど）で変調処理を行う。【００１７】
分割多重部１３０は、ＩＭＴで指定された通信方式(ＦＤＭＡ、ＴＤＭＡ、ＣＤＭＡなど)に応じて、部分送信データ系列を分割多重する。すなわち、各部分送信データ系列は異なる中継局で中継されるので、ＣＤＭＡ方式が採用される場合には、分割多重部１３０各部分送信データ系列を各中継局に割り当てられた互いに異なる拡散符号で拡散処理することにより、多重信号を生成する。【００１８】
ＲＦ部１４０は、分割多重部１３０にて生成された多重信号に所定の無線処理を施して、得られた無線信号をアンテナを介して送信する。また、ＲＦ部１４０は、中継局から送信された無線信号に対し所定の無線受信処理を施して、得られた受信信号を分離部１５０に送出する。【００１９】
分離部１５０は、ＲＦ部１４０にて得られた受信信号が多重信号（各中継局から送信された信号が分割多重された信号）であるため、受信信号を送信元中継局毎の信号に分離する。【００２０】
データ復調部１６０は、分離された信号毎に復調処理を施すことにより受信データを得る。【００２１】
図４に示す本実施の形態に係る中継局としての移動局（ＭＳ）２００は、上記した第１の通信方式の他に、第２の通信方式で通信することができるように構成されている。ここでは、第２の通信方式として無線ＬＡＮ方式が適用される場合について説明する。【００２２】
図４に示すように移動局（ＭＳ）２００は、ＷＣＤＭＡ方式で基地局装置１００と通信を行う第１通信処理部２１０と、無線ＬＡＮ方式で後述する無線ＬＡＮ端末４００と通信を行う第２通信処理部２２０と、中継システム構築処理部２３０と、フレーム同期タイミング生成部２４０とを有する。【００２３】
第１通信処理部２１０は、アンテナを介して受信した無線信号（基地局装置１００から送信された下り回線の無線信号）に無線受信処理を施して、得られた受信信号を第２通信処理部２２０に出力する。第１通信処理部２１０は、送信信号（上り回線の送信信号）に所定の無線送信処理を施して、得られる無線信号をアンテナを介して送信する。【００２４】
第１通信処理部２１０は、ＷＣＤＭＡ方式で基地局装置１００との間の送受信無線処理を行うＲＦ部２１２と、変復調部２１４と、ＭＡＣ部２１６と、ＩＰ処理部２１８とを有する。【００２５】
第２通信処理部２２０は、アンテナを介して受信した無線信号（後述する無線ＬＡＮ端末４００から送信された上り回線の無線信号）に、フレーム同期タイミング信号に基づくタイミングで無線受信処理を施して、得られた受信信号を第１通信処理部２１０に出力する。第２通信処理部２２０は、自局の近傍に存在する移動局３００から送信される参加表明信号（その移動局３００のＩＰアドレス、未使用アンテナ数などを含む）を中継システム構築処理部２３０に出力する。第２通信処理部２２０は、ＩＰアドレス付与制御信号、中継システム構築処理部２３０から受け取る招集信号及び機器番号通知信号、並びに、フレーム同期タイミング信号に所定の無線送信処理をフレーム同期タイミング信号に基づくタイミングで施して、得られる無線信号をアンテナを介して送信する。【００２６】
第２通信処理部２２０は、第１通信処理部２１０から受け取る下り回線の受信信号をＭＩＭＯ通信用のフレームに変換する。第２通信処理部２２０は、ＭＩＭＯ通信用のフレームに、自機の機器番号（ここでは、ゼロ）に応じたパイロット信号を付加する。第２通信処理部２２０は、得られたフレームに所定の無線送信処理をフレーム同期タイミング信号に基づくタイミングで施して、得られる無線信号をアンテナを介して送信する。【００２７】
第２通信処理部２２０は、無線ＬＡＮ方式で無線ＬＡＮ端末４００との間の送受信無線処理を行うＲＦ部２２２と、変復調部２２４と、ＭＡＣ部２２６と、ＭＩＭＯフレーム生成部２２８とを有する。ＩＰ処理部２１８は、第２通信処理部２２０の一部としても機能する。なお、上り通信の際には、ＭＩＭＯフレーム生成部２２８は、特に処理を行わない。【００２８】
中継システム構築処理部２３０は、ＩＰアドレス付与制御信号を生成し、当該ＩＰアドレス付与制御信号を無線ＬＡＮ通信方式を用いて送信する。ＩＰアドレス付与制御信号は、移動局２００に対して割り当てられているＥＳＳＩＤ（Extended Service Set Identifier）、移動局２００のＩＰアドレス、及び、ＭＡＣアドレスにブロードキャスト値を含む。このＩＰアドレス付与制御信号が送信されることによって、中継システム構築処理部２３０は、無線ＬＡＮで同じＥＳＳＩＤが割り当てられている移動局３００からそれのＢＳＳＩＤ（Basic Service Set Identifier）を含む応答信号であるＩＰ付与要求信号を受け取ることができる。【００２９】
中継システム構築処理部２３０は、ＩＰ付与要求信号を送信してきた移動局３００に対してＩＰアドレスを割り当てると共に、その移動局３００のＢＳＳＩＤと、割り当てたＩＰアドレスとを含めたＩＰ通知信号を生成する。中継システム構築処理部２３０は、生成したＩＰ通知信号を無線ＬＡＮ通信方式を用いて送信する。このＩＰ通知信号が送信されることにより、これ以降、移動局２００と移動局３００とのＩＰアドレスを用いた通信が可能となる。【００３０】
中継システム構築処理部２３０は、ＩＰアドレスを割り当てたすべての移動局３００（つまり、ＩＰ通知信号を送信したすべての移動局３００）に対して、招集信号を送信すると共に、その招集信号に応答して送信されてくる参加表明信号を受け取る。招集信号には、宛先アドレスとして移動局３００のＩＰアドレス、及び、送信元アドレスとして移動局２００のＩＰアドレスが含まれる。【００３１】
中継システム構築処理部２３０は、参加表明信号に基づいて自局がマスタ端末として機能する中継システムを構成するスレーブ端末を決定する。中継システム構築処理部２３０は、移動局２００の機器番号をゼロとし、スレーブ端末に対して、参加表明信号を受け取った順番で連番の機器番号を順次付与する。中継システム構築処理部２３０は、各スレーブ端末に対して、機器番号及び中継システムを構築する全移動局の数（つまり、移動局２００と全スレーブ端末の数）を含めた機器番号通知信号を送信する。【００３２】
中継システム構築処理部２３０は、自局及び中継システムを構成するスレーブ端末に関する中継システム情報を第１通信処理部２１０を介して基地局装置１００に送信する。【００３３】
具体的には、中継システム構築処理部２３０は、ＤＨＣＰ（Dynamic Host Configuration Protocol）処理部２３２と、招集信号発信部２３４と、参加表明信号受信部２３６と、機器番号生成部２３８とを有する。【００３４】
ＤＨＣＰ処理部２３２は、ＩＰアドレス付与制御信号を生成し、当該ＩＰアドレス付与制御信号を無線ＬＡＮ通信方式を用いて送信する。ＤＨＣＰ処理部２３２は、ＩＰ付与要求信号を送信してきた移動局３００に対してＩＰアドレスを割り当てると共に、その移動局３００のＢＳＳＩＤと、割り当てたＩＰアドレスとを含めたＩＰ通知信号を生成する。【００３５】
招集信号発信部２３４は、ＩＰアドレスを割り当てたすべての移動局３００に対して、招集信号を第２通信処理部２２０を介して送信する。【００３６】
参加表明信号受信部２３６は、招集信号に対する応答として移動局３００から送信されてくる参加表明信号を第２通信処理部２２０を介して受け取る。【００３７】
機器番号生成部２３８は、参加表明信号受信部２３６から複数の参加表明信号を受け取り、複数の参加表明信号に対応する複数の移動局３００の中から、中継システムを構成するスレーブ端末を決定すると共に、各スレーブ端末に対して機器番号を付与する。機器番号生成部２３８は、各スレーブ端末に対して機器番号通知信号を第２通信処理部２２０を介して送信する。【００３８】
フレーム同期タイミング生成部２４０は、フレーム同期タイミング信号を生成し、第２通信処理部２２０に出力する。【００３９】
図５に示す本実施の形態に係る中継局としての移動局（ＭＳ）３００は、移動局２００と同様に、第１の通信方式及び第２の通信方式で通信することができるように構成されている。【００４０】
図５に示すように移動局（ＭＳ）３００は、ＷＣＤＭＡ方式で基地局装置１００と通信を行う第１通信処理部３１０と、無線ＬＡＮ方式で後述する無線ＬＡＮ端末４００と通信を行う第２通信処理部３２０と、ＤＨＣＰ（Dynamic Host Configuration Protocol）クライアント処理部３３０と、招集信号受信部３４０と、参加表明信号生成部３５０と、フレーム同期信号受信部３６０と、機器番号受信部３７０とを有する。【００４１】
第１通信処理部３１０は、アンテナを介して受信した無線信号（基地局装置１００から送信された下り回線の無線信号）に無線受信処理を施して、得られた受信信号を第２通信処理部３２０に出力する。第１通信処理部３１０は、送信信号（上り回線の送信信号）に所定の無線送信処理を施して、得られる無線信号をアンテナを介して送信する。【００４２】
第１通信処理部３１０は、ＷＣＤＭＡ方式で基地局装置１００との間の送受信無線処理を行うＲＦ部３１２と、変復調部３１４と、ＭＡＣ部３１６と、ＩＰ処理部３１８とを有する。【００４３】
第２通信処理部３２０は、移動局２００から送信されたＩＰアドレス付与制御信号を受信し、ＤＨＣＰクライアント処理部３３０に出力する。第２通信処理部３２０は、ＤＨＣＰクライアント処理部３３０から受け取るＩＰ付与要求信号を移動局２００に送信する。【００４４】
第２通信処理部３２０は、移動局２００から送信されたＩＰ通知信号を受信し、ＤＨＣＰクライアント処理部３３０に出力する。【００４５】
第２通信処理部３２０は、移動局２００から送信された招集信号を受信し、招集信号受信部３４０に出力する。第２通信処理部３２０は、参加表明信号生成部３５０で生成された参加表明信号を受け取り、移動局２００に送信する。第２通信処理部３２０は、移動局２００から送信された機器番号通知信号を受信し、機器番号受信部３７０に出力する。【００４６】
第２通信処理部３２０は、移動局２００から送信されたフレーム同期タイミング信号を受信し、フレーム同期信号受信部３６０に出力する。【００４７】
第２通信処理部３２０は、アンテナを介して受信した無線信号（後述する無線ＬＡＮ端末４００から送信された上り回線の無線信号）に、タイミング信号に基づくタイミングで無線受信処理を施す。そして、第２通信処理部３２０は、得られた受信パケットのうち特定のパケットについてＩＰ処理（ＩＰパケットの送信元アドレスを、移動局２００から割り当てられたＩＰアドレスに置き換える処理を含む）を行った後、そのパケットを第１通信処理部３１０に渡す。ここで特定のパケットは次のように選択される。パケット番号と、機器番号通知信号に含まれている移動局の数とのモジュロ演算(剰余演算)が行なわれ、解が自身の機器番号と一致するＩＰパケットが選択される。【００４８】
第２通信処理部３２０は、第１通信処理部３１０から受け取る下り回線の受信信号をＭＩＭＯ通信用のフレームに変換する。第２通信処理部３２０は、ＭＩＭＯ通信用のフレームに、機器番号受信部３７０から受け取る機器番号に応じたパイロット信号（つまり、機器番号ごとにパイロット信号の信号系列が異なる）を付加する。第２通信処理部３２０は、得られたフレームに所定の無線送信処理をフレーム同期タイミング信号に基づくタイミングで施して、得られる無線信号をアンテナを介して送信する。【００４９】
第２通信処理部３２０は、無線ＬＡＮ方式で無線ＬＡＮ端末４００との間の送受信無線処理を行うＲＦ部３２２と、変復調部３２４と、ＭＡＣ部３２６と、ＭＩＭＯフレーム生成部３２８とを有する。ＩＰ処理部３１８は、第２通信処理部３２０の一部としても機能する。なお、上り通信の際には、ＭＩＭＯフレーム生成部３２８は、特に処理を行わない。【００５０】
招集信号受信部３４０は、第２通信処理部３２０から招集信号を受け取り、参加表明信号生成部３５０に出力する。【００５１】
参加表明信号生成部３５０は、招集信号を受け取ると参加表明信号を生成し、第２通信処理部３２０を介して移動局２００に送信する。【００５２】
フレーム同期信号受信部３６０は、フレーム同期タイミング信号を受け取り、この信号に応じたタイミング信号を第２通信処理部３２０に出力する。【００５３】
機器番号受信部３７０は、機器番号通知信号を受け取り、機器番号通知信号に含まれる機器番号及び移動局の数を第２通信処理部３２０に出力する。【００５４】
図６に示すように本実施の形態に係る無線ＬＡＮ端末４００は、ＲＦ部４１０と、ストリーム信号分離部４２０と、データ復調部４３０と、送信データ生成部４４０と、データ変調部４５０と、チャネル行列推定部４６０とを有する。【００５５】
ＲＦ部４１０は、アンテナを介して受信した下り受信信号に無線受信処理を施して、ストリーム信号分離部４２０及びチャネル行列推定部４６０に出力する。【００５６】
チャネル行列推定部４６０は、上記した中継システムを構成する移動局から送信されるパイロット信号（直交符号）に基づいてチャネル推定し、得られたチャネル推定行列を、ストリーム信号分離部４２０に出力すると共に、送信データ生成部４４０、データ変調部４５０、及びＲＦ部４１０を介して送信する。【００５７】
ストリーム信号分離部４２０は、チャネル行列推定部４６０で得られたチャネル推定行列を用いて、中継システムによってＭＩＭＯ送信された信号を分離する。分離された信号は、それぞれ基地局装置１００にて形成された部分送信データ系列に対応しており、データ復調部４３０に出力される。【００５８】
データ復調部４３０は、ストリーム信号分離部４２０から受け取る分離信号をそれぞれ復調処理して複数のデータ系列を得ると共に、この複数のデータ系列を連結（送信データ生成部１１０における分割処理と逆の処理）してデータ系列を得る。【００５９】
送信データ生成部４４０は、上り送信データ系列を生成してデータ変調部４５０に出力する。【００６０】
データ変調部４５０は、上り送信データ系列に変調処理を施して、ＲＦ部４１０に出力する。【００６１】
以上のように構成される基地局装置１００、移動局２００、３００、及び無線ＬＡＮ端末４００から成る無線通信システムの動作について図７及び図８を参照して説明する。ここでは、中継システムを構築する移動局が４つの場合を例にとり説明する。【００６２】
［中継システム構築の前処理］
マスタ端末である移動局２００は、無線ＬＡＮ通信を利用して、同じＥＳＳＩＤを持つ移動局３００に対してＩＰアドレスを付与する。【００６３】
すなわち、移動局２００は、ＩＰアドレス付与制御信号を送信し、このＩＰアドレス付与制御信号の応答信号としてＩＰ付与要求信号を送信してきた移動局３００に対してＩＰアドレスを付与する。付与されたＩＰアドレスは、ＩＰ通知信号によって移動局３００に通知される。【００６４】
こうして移動局２００と移動局３００とは、互いのＩＰアドレスを持ち合うことができ、これ以降、ＩＰアドレスを用いて互いに通信することができる。【００６５】
［中継システム構築処理］
マスタ端末である移動局２００は、まず、ＩＰアドレスを割り当てたすべての移動局３００に対して、招集信号を送信する。そして、移動局２００は、移動局３００−１〜３が送信する参加表明信号を受信する。移動局２００にて受信された参加表明信号の送信元移動局が、自局と共に中継システムを構築するスレーブ端末の候補（ここでは、移動局３００−１〜３）となる。【００６６】
ここで移動局３００から移動局２００への参加表明信号の送信は、無線ＬＡＮ回線を通じて行われる。例えば、参加表明信号の送信は、ＣＳＣＤ(Carrier Sense Collision Detection：キャリアセンス衝突検出)方式によって行われる。通常、移動局２００に近い移動端末３００から順番に招集信号が受信されるので、参加表明信号の送信もその順番で行われる。このため、通常、この順番で機器番号も付与されることになる。【００６７】
そして移動局２００は、スレーブ端末候補の中からスレーブ端末（ここでは、移動局３００−１〜３）を決定し、自局及びスレーブ端末に関する情報、すなわち中継システム情報を基地局装置１００に送信する。こうして複数の移動局から柔軟に中継システムを構築することができるので、１つの移動局のみを中継局として選択する従来のシステムに比べて、安定的な通信を可能とする無線通信システムを実現することができる。【００６８】
さらに、移動局２００は、スレーブ端末（ここでは、移動局３００−１〜３）に対してフレーム同期タイミング信号を送信する。スレーブ端末である移動局３００が移動局２００の送信タイミングに合わせて信号送信することにより、マスタ端末及びスレーブ端末の全体で下りＭＩＭＯ送信を行うことができる。【００６９】
［下り無線通信処理］
基地局装置１００では、１つの送信データ系列から、中継システムを構成する移動局の数と同数の部分送信データ系列が形成され、部分送信データ系列から形成される並列な変調信号が多重される。各並列変調信号は、図７では、パケット１〜４として示されている。各並列変調信号は、互いに異なる移動局（ここでは、移動局２００及び移動局３００−１〜３）によって中継されて無線ＬＡＮ端末４００に伝送される。そのため、移動局が対応する変調信号を抽出できるように、基地局装置１００は、複数の並列変調信号を分割多重（ＴＤＭＡ、ＦＤＭＡ、ＣＤＭＡなど）する。また、基地局装置１００と中継システムとの間の通信は、中継システムと無線ＬＡＮ端末４００との間の通信方式と異なる方式で行われる。【００７０】
中継システムでは、移動局２００、及び移動局３００−１〜３のそれぞれが所望のパケットを受信処理し、さらにＭＩＭＯ通信用のフレームに変換する。そして、移動局２００、及び移動局３００−１〜３は、互いにタイミングを合わせて、ＭＩＭＯ通信用のフレームを送信する。こうして中継システムによる下りＭＩＭＯ送信が行われる。【００７１】
無線ＬＡＮ端末４００では、中継システムから下りＭＩＭＯ送信された信号を信号分離した後に、復調処理及び連結処理することにより受信データを得る。【００７２】
こうして、複数の移動局でＭＩＭＯ伝送を行う中継アクセスポイントを構築することができ、下り回線の通信速度を高速化することができる。一般にＭＩＭＯ伝送では異なる送信アンテナ間の電力変動相関が低い程、高スループットを期待できる。本実施の形態によれば、ＭＩＭＯ伝送にかかるアンテナは基本的に異なる移動端末に設けられているため、各アンテナ間の距離は通信に利用するキャリアの波長より十分に長いことが予想される。従って、アンテナ間の電力変動相関は低くなるため、ＭＩＭＯ伝送を効率よく実現することができる。【００７３】
［上り無線通信処理］
図８に示すように無線ＬＡＮ端末４００では、上り送信データ（同図では、パケット１〜４から成るストリーム１）が中継システムを構成する移動局２００、及び移動局３００−１〜３のすべてに対して送信される（ＳＩＳＯ伝送）。【００７４】
移動局２００、移動局３００−１〜３のそれぞれは、互いに異なるパケットを抽出して、抽出パケットを同期信号に基づくタイミングで、すなわち同期して送信する。ここで抽出パケットの選択は、上記したように、パケット番号と、機器番号通知信号に含まれている移動局の数とのモジュロ演算(剰余演算)が行なわれ、解が自身の機器番号と一致するＩＰパケットが選択される。【００７５】
なお、移動局２００及び移動局３００−１〜３と、基地局装置１００との間の通信にＦＤＭＡ方式が適用される場合には、移動局２００、移動局３００−１〜３は、それぞれ異なる周波数でパケットを基地局装置１００に対して送信する。また、ＣＤＭＡ方式が適用される場合には、移動局２００、移動局３００−１〜３は、それぞれ異なる拡散符号でパケットを拡散した後に、基地局装置１００に対して送信する。【００７６】
ところで、無線通信の特性上、ＩＰパケットは、その一部が欠落する、又は、重複が発生する可能性がある。また、ＩＰパケット番号と機器番号との照合ができないなどの理由により、ＩＰパケットの一部が欠落する、又は、ＩＰパケットが重複する可能性もある。この場合、ＵＤＰやＴＣＰなどの通信プロトコル機能に依存する。この通信プロトコル機能によって、多くの場合、欠落したパケットに対しては再送処理が行われ、また、重複したパケットに対しては切り捨て処理が行われるので、上記した中継機能は保たれる。【００７７】
一般的に無線ＬＡＮ環境での通信スループットは移動通信網に比べて高いため、複数の移動通信端末にトラヒックを分散することで、より高速で安定した通信が可能となる。【００７８】
このように本実施の形態によれば、中継システムを構成するマスタ端末である移動局（２００）は同期信号を送信し、スレーブ端末である移動局（３００）は同期信号を受信し、移動局（２００）及び移動局（３００）は、基地局装置（１００）から送信されたデータを、同期信号に基づいて互いに送信タイミングを合わせて無線ＬＡＮ端末（４００）に送信する。こうすることにより、複数の移動局で柔軟に中継システムが構築されるので、従来の無線通信システムにて生じていた中継端末のＲＦリソースの数、及びその使用状況によって通信ができない状況を回避できる可能性を高くすることができる。よって、この中継システムを備えることにより、より安定的な通信を可能とする無線通信システムが実現される。【００７９】
（実施の形態２）
本実施の形態では、中継システムを構成する移動局のすべてが無線ＬＡＮ端末から送信されたストリームをそのまま基地局装置に同期して転送し、基地局装置が受信ストリームを最大比合成する。【００８０】
図９に示すように無線ＬＡＮ端末４００では、上り送信データ（同図では、パケット１〜４から成るストリーム１）が中継システムを構成する移動局２００、及び移動局３００−１〜３のすべてに対して送信される（ＳＩＳＯ伝送）。【００８１】
移動局２００、移動局３００−１〜３のそれぞれは、受信ストリームを同期信号に基づくタイミングで、すなわち同期して送信する。なお、ＣＤＭＡ方式が適用される場合には、移動局２００、及び移動局３００−１〜３は、それぞれ異なる拡散符号でパケットを拡散した後に、基地局装置１００に対して送信する。【００８２】
基地局装置１００では、受信ストリームを復調した後、最大比合成を行う。こうして、基地局装置１００は最大比合成ダイバーシチを行うので、信号電力対雑音電力比（ＳＮＲ）を大きくすることができる。【００８３】
（実施の形態３）
本実施の形態では、中継システムを構成する移動局のすべてが無線ＬＡＮ端末から送信されたストリームをそのまま基地局装置に非同期で転送し、基地局装置が受信ストリームのうち最も品質の良いものを選択する。選択された受信ストリームは、基地局装置１００と移動局２００及び移動局３００との間で用いられる通信方式における、上位層に受け渡され、その他の受信ストリームは廃棄される。【００８４】
図９に示すように無線ＬＡＮ端末４００では、上り送信データ（同図では、パケット１〜４から成るストリーム１）が中継システムを構成する移動局２００、及び移動局３００−１〜３のすべてに対して送信される（ＳＩＳＯ伝送）。【００８５】
移動局２００及び移動局３００−１〜３のそれぞれは、受信ストリームを非同期で送信する。なお、移動局２００及び移動局３００−１〜３と、基地局装置１００との間の通信にＦＤＭＡ方式が適用される場合には、移動局２００及び移動局３００−１〜３は、それぞれ異なる周波数でパケットを基地局装置１００に対して送信する。ＣＤＭＡ方式が適用される場合には、移動局２００及び移動局３００−１〜３は、それぞれ異なる拡散符号でパケットを拡散した後に、基地局装置１００に対して送信する。【００８６】
基地局装置１００では、受信ストリームのうち最も品質の良いものが選択され、選択された受信ストリームが上位層で優先的に使用される。
【産業上の利用可能性】
【００８７】
本発明の中継システム及び無線通信システムは、より安定的な通信を可能とするものとして有用である。
【図１】
2009113129.tif 000003
【図２】
2009113129.tif 000004
【図３】
2009113129.tif 000005
【図４】
2009113129.tif 000006
【図５】
2009113129.tif 000007
【図６】
2009113129.tif 000008
【図７】
2009113129.tif 000009
【図８】
2009113129.tif 000010
【図９】
2009113129.tif 000011
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
ＭＩＭＯ通信可能な無線ＬＡＮ端末と、
インターネット回線へのパスを提供する移動通信システムの基地局装置であって、前記無線ＬＡＮ端末宛の送信データを複数の部分送信データに分割し、前記複数の部分送信データを前記移動通信システムの通信方式で分割多重送信する基地局装置と、
前記移動通信システムの通信インタフェースと前記無線ＬＡＮとの通信インタフェースを有し、受信データから互いに異なる部分送信データを抽出すると共に、前記抽出された部分送信データを無線ＬＡＮの形式に変換した上で前記無線ＬＡＮ端末へ同期して送信する無線端末群からなる中継システムと、
を具備する無線通信システム。
【請求項２】
前記中継システムは、１つの中継マスタ無線端末と、それ以外の中継スレーブ無線端末とからなり、前記中継マスタ無線端末が前記中継スレーブ無線端末に同期信号を送信することにより、送信タイミングを合わせる、請求項１に記載の無線通信システム。
【請求項３】
第１の無線通信システムに対応するインタフェースと第２の無線通信システムに対応する無線インタフェースとを備える無線端末群から構成され、前記第１の無線通信システムと第２の無線通信システムとの間のデータ伝送を中継する中継システムであって、
招集信号を送信し、前記招集信号に対する参加表明信号の送信元無線端末の中からスレーブ無線端末を選択し、当該スレーブ無線端末に同期信号を送信する中継マスタ無線端末と、
前記招集信号に対応して前記参加表明信号を送信し、前記同期信号を受信する中継スレーブ無線端末と、を具備し、
前記中継マスタ無線端末及び前記中継スレーブ無線端末は、前記第１の無線通信システムの送信元通信装置から送信されたデータを、前記同期信号に基づいて互いに送信タイミングを合わせて前記第２の無線通信システムの送信先通信装置に送信する、中継システム。
【手続補正２】
【補正対象書類名】明細書
【補正対象項目名】全文
【補正方法】変更
【補正の内容】
【発明の詳細な説明】
【技術分野】
【０００１】
本発明は、中継システム及び無線通信システムに関する。
【背景技術】
【０００２】
基地局やアクセスポイントを必要とせず、無線で接続できる無線端末(パソコン、ＰＤＡ、携帯電話等)のみで構成された自立分散型の無線ネットワークであるアドホックネットワークに関して、様々な場所で検討されてきている。アドホックネットワークは、アクセスポイント等のインフラ(Infrastructure)が存在しない場所でも簡易にネットワークを構築することができる。
【０００３】
また、無線通信の高速化を実現する技術として、ＭＩＭＯ（Multiple Input Multiple Output）通信がある。ＭＩＭＯは、送信および受信にそれぞれ複数のアンテナを用いる空間多重伝送技術であり、複数のデータを複数のアンテナから同じ周波数で同時に送信する。ＭＩＭＯでは、同時に送受信できるチャネルが増えるので、単位時間あたりの通信量が増加し、通信速度を向上させることができる。
【０００４】
上記アドホックネットワークにＭＩＭＯ通信方式を適用させた無線通信システムが、例えば、特許文献１に開示されている。この無線通信システムでは、ＭＩＭＯ送受信機の余剰のアンテナリソースを効率よく活用して、ＭＩＭＯ通信方式のマルチホップ・ネットワークを実現している。
【０００５】
この無線通信システムにおける通信について、複数のアンテナを具備する端末Ａ、Ｂ、Ｃ、Ｄが存在する場合を例にとり図１を参照して説明する。同図において、端末Ａと端末Ｄとの間では、両端末が同一の通信エリア内に存在しているため、ＭＩＭＯ伝送が可能である一方で、端末Ｂと端末Ｃとの間では、両端末の通信エリアが異なるため、直接にＭＩＭＯ伝送できない。そのため、端末Ｂ及び端末Ｃとの通信可能範囲にある端末Ｄに対する中継の依頼が行なわれる。端末Ｄは２つのアンテナをＭＩＭＯ通信に使用しているので、残り１つのアンテナリソースを用いて中継可能である旨の了解応答を端末Ｂ及び端末Ｃに送信する。そして、端末Ｂを送信元、送信宛先を端末Ｃとするパケットが、端末Ｄを介して伝送される。  
【特許文献１】特開２００６−１４８３８８号公報
【発明の開示】
【発明が解決しようとする課題】
【０００６】
しかしながら、上記した従来の無線通信システムにおいては、次のような場合には通信ができない。図２に示されるような状況において、端末Ｅが端末Ｄを経由して端末Ｆと通信を行おうとする場合、両端末Ｅ及びＦとの通信可能範囲にある端末Ｄは、すでに他の端末と通信を行っており空きＲＦリソースがないため、端末Ｄを経由する通信が不可能となる。これは、中継点である端末を端末Ｄ以外の端末に変更しても同様に起こりうる。すなわち、従来の無線端末システムでは、中継端末のＲＦリソースの数、及びその使用状況に依存して通信の可否が決定されてしまう。
【０００７】
本発明の目的は、柔軟に構築可能な中継システム、及び、この中継システムを備えてより安定的な通信を可能とする無線通信システムを提供することである。
【課題を解決するための手段】
【０００８】
本発明の中継システムは、第１の無線通信システムに対応するインタフェースと第２の
無線通信システムに対応する無線インタフェースとを備える無線端末群から構成され、前記第１の無線通信システムと第２の無線通信システムとの間のデータ伝送を中継する中継システムであって、招集信号を送信し、前記招集信号に対する参加表明信号の送信元無線端末の中からスレーブ無線端末を選択し、当該スレーブ無線端末に同期信号を送信する中継マスタ無線端末と、前記招集信号に対応して前記参加表明信号を送信し、前記同期信号を受信する中継スレーブ無線端末と、を具備し、前記中継マスタ無線端末及び前記中継スレーブ無線端末は、前記第１の無線通信システムの送信元通信装置から送信されたデータを、前記同期信号に基づいて互いに送信タイミングを合わせて前記第２の無線通信システムの送信先通信装置に送信する構成を採る。
【０００９】
本発明の無線通信システムは、ＭＩＭＯ通信可能な無線ＬＡＮ端末と、インターネット回線へのパスを提供する移動通信システムの基地局装置であって、前記無線ＬＡＮ端末宛の送信データを複数の部分送信データに分割し、前記複数の部分送信データを前記移動通信システムの通信方式で分割多重送信する基地局装置と、前記移動通信システムの通信インタフェースと前記無線ＬＡＮとの通信インタフェースを有し、受信データから互いに異なる部分送信データを抽出すると共に、前記抽出された部分送信データを無線ＬＡＮの形式に変換した上で前記無線ＬＡＮ端末へ同期して送信する無線端末群からなる中継システムと、を具備する構成を採る。
【発明の効果】
【００１０】
本発明によれば、任意の場所に柔軟に通信容量を増加できる無線ＬＡＮアクセスポイントを構築可能な中継システム、及び、この中継システムを備えてより安定的な通信を可能とする無線通信システムを提供することができる。
【発明を実施するための最良の形態】
【００１１】
以下、本発明の実施の形態について図面を参照して詳細に説明する。
【００１２】
（実施の形態１）
図３に示す本実施の形態に係る基地局装置１００は、第１の通信方式で後述する移動局２００及び移動局３００と通信を行う。ここでは、第１の通信方式として、ＩＭＴ−２０００で定められているＷＣＤＭＡ方式が適用される場合について説明するが、これに限定されるものではない。
【００１３】
図３に示すように本実施の形態に係る基地局装置（ＢＳ）１００は、送信データ生成部１１０と、データ変調部１２０と、分割多重部１３０と、ＲＦ部１４０と、分離部１５０と、データ復調部１６０とを有する。
【００１４】
送信データ生成部１１０は、送信データ系列を生成する。さらに送信データ生成部１１０は、後述する移動局２００から送信された中継システム情報に基づいて、中継システム情報中継局として選択された移動局の数と同数の部分送信データ系列に送信データ系列を分割する。得られた部分送信データ系列は、データ変調部１２０に送出される。
【００１５】
データ変調部１２０は、送信データ生成部１１０にて生成された部分送信データ系列に対して、予め定められた変調方式（例えば、ＢＰＳＫ、ＱＰＳＫなど）で変調処理を行う。
【００１６】
分割多重部１３０は、ＩＭＴで指定された通信方式(ＦＤＭＡ、ＴＤＭＡ、ＣＤＭＡなど)に応じて、部分送信データ系列を分割多重する。すなわち、各部分送信データ系列は異なる中継局で中継されるので、ＣＤＭＡ方式が採用される場合には、分割多重部１３０各部分送信データ系列を各中継局に割り当てられた互いに異なる拡散符号で拡散処理することにより、多重信号を生成する。
【００１７】
ＲＦ部１４０は、分割多重部１３０にて生成された多重信号に所定の無線処理を施して、得られた無線信号をアンテナを介して送信する。また、ＲＦ部１４０は、中継局から送信された無線信号に対し所定の無線受信処理を施して、得られた受信信号を分離部１５０に送出する。
【００１８】
分離部１５０は、ＲＦ部１４０にて得られた受信信号が多重信号（各中継局から送信された信号が分割多重された信号）であるため、受信信号を送信元中継局毎の信号に分離する。
【００１９】
データ復調部１６０は、分離された信号毎に復調処理を施すことにより受信データを得る。
【００２０】
図４に示す本実施の形態に係る中継局としての移動局（ＭＳ）２００は、上記した第１の通信方式の他に、第２の通信方式で通信することができるように構成されている。ここでは、第２の通信方式として無線ＬＡＮ方式が適用される場合について説明する。
【００２１】
図４に示すように移動局（ＭＳ）２００は、ＷＣＤＭＡ方式で基地局装置１００と通信を行う第１通信処理部２１０と、無線ＬＡＮ方式で後述する無線ＬＡＮ端末４００と通信を行う第２通信処理部２２０と、中継システム構築処理部２３０と、フレーム同期タイミング生成部２４０とを有する。
【００２２】
第１通信処理部２１０は、アンテナを介して受信した無線信号（基地局装置１００から送信された下り回線の無線信号）に無線受信処理を施して、得られた受信信号を第２通信処理部２２０に出力する。第１通信処理部２１０は、送信信号（上り回線の送信信号）に所定の無線送信処理を施して、得られる無線信号をアンテナを介して送信する。
【００２３】
第１通信処理部２１０は、ＷＣＤＭＡ方式で基地局装置１００との間の送受信無線処理を行うＲＦ部２１２と、変復調部２１４と、ＭＡＣ部２１６と、ＩＰ処理部２１８とを有する。
【００２４】
第２通信処理部２２０は、アンテナを介して受信した無線信号（後述する無線ＬＡＮ端末４００から送信された上り回線の無線信号）に、フレーム同期タイミング信号に基づくタイミングで無線受信処理を施して、得られた受信信号を第１通信処理部２１０に出力する。第２通信処理部２２０は、自局の近傍に存在する移動局３００から送信される参加表明信号（その移動局３００のＩＰアドレス、未使用アンテナ数などを含む）を中継システ
ム構築処理部２３０に出力する。第２通信処理部２２０は、ＩＰアドレス付与制御信号、中継システム構築処理部２３０から受け取る招集信号及び機器番号通知信号、並びに、フレーム同期タイミング信号に所定の無線送信処理をフレーム同期タイミング信号に基づくタイミングで施して、得られる無線信号をアンテナを介して送信する。
【００２５】
第２通信処理部２２０は、第１通信処理部２１０から受け取る下り回線の受信信号をＭＩＭＯ通信用のフレームに変換する。第２通信処理部２２０は、ＭＩＭＯ通信用のフレームに、自機の機器番号（ここでは、ゼロ）に応じたパイロット信号を付加する。第２通信処理部２２０は、得られたフレームに所定の無線送信処理をフレーム同期タイミング信号に基づくタイミングで施して、得られる無線信号をアンテナを介して送信する。
【００２６】
第２通信処理部２２０は、無線ＬＡＮ方式で無線ＬＡＮ端末４００との間の送受信無線処理を行うＲＦ部２２２と、変復調部２２４と、ＭＡＣ部２２６と、ＭＩＭＯフレーム生成部２２８とを有する。ＩＰ処理部２１８は、第２通信処理部２２０の一部としても機能する。なお、上り通信の際には、ＭＩＭＯフレーム生成部２２８は、特に処理を行わない。
【００２７】
中継システム構築処理部２３０は、ＩＰアドレス付与制御信号を生成し、当該ＩＰアドレス付与制御信号を無線ＬＡＮ通信方式を用いて送信する。ＩＰアドレス付与制御信号は、移動局２００に対して割り当てられているＥＳＳＩＤ（Extended Service Set Identifier）、移動局２００のＩＰアドレス、及び、ＭＡＣアドレスにブロードキャスト値を含む。このＩＰアドレス付与制御信号が送信されることによって、中継システム構築処理部２３０は、無線ＬＡＮで同じＥＳＳＩＤが割り当てられている移動局３００からそれのＢＳＳＩＤ（Basic Service Set Identifier）を含む応答信号であるＩＰ付与要求信号を受け取ることができる。
【００２８】
中継システム構築処理部２３０は、ＩＰ付与要求信号を送信してきた移動局３００に対してＩＰアドレスを割り当てると共に、その移動局３００のＢＳＳＩＤと、割り当てたＩＰアドレスとを含めたＩＰ通知信号を生成する。中継システム構築処理部２３０は、生成したＩＰ通知信号を無線ＬＡＮ通信方式を用いて送信する。このＩＰ通知信号が送信されることにより、これ以降、移動局２００と移動局３００とのＩＰアドレスを用いた通信が可能となる。
【００２９】
中継システム構築処理部２３０は、ＩＰアドレスを割り当てたすべての移動局３００（つまり、ＩＰ通知信号を送信したすべての移動局３００）に対して、招集信号を送信すると共に、その招集信号に応答して送信されてくる参加表明信号を受け取る。招集信号には、宛先アドレスとして移動局３００のＩＰアドレス、及び、送信元アドレスとして移動局２００のＩＰアドレスが含まれる。
【００３０】
中継システム構築処理部２３０は、参加表明信号に基づいて自局がマスタ端末として機能する中継システムを構成するスレーブ端末を決定する。中継システム構築処理部２３０は、移動局２００の機器番号をゼロとし、スレーブ端末に対して、参加表明信号を受け取った順番で連番の機器番号を順次付与する。中継システム構築処理部２３０は、各スレーブ端末に対して、機器番号及び中継システムを構築する全移動局の数（つまり、移動局２００と全スレーブ端末の数）を含めた機器番号通知信号を送信する。
【００３１】
中継システム構築処理部２３０は、自局及び中継システムを構成するスレーブ端末に関する中継システム情報を第１通信処理部２１０を介して基地局装置１００に送信する。
【００３２】
具体的には、中継システム構築処理部２３０は、ＤＨＣＰ（Dynamic Host Configurati
on Protocol）処理部２３２と、招集信号発信部２３４と、参加表明信号受信部２３６と、機器番号生成部２３８とを有する。
【００３３】
ＤＨＣＰ処理部２３２は、ＩＰアドレス付与制御信号を生成し、当該ＩＰアドレス付与制御信号を無線ＬＡＮ通信方式を用いて送信する。ＤＨＣＰ処理部２３２は、ＩＰ付与要求信号を送信してきた移動局３００に対してＩＰアドレスを割り当てると共に、その移動局３００のＢＳＳＩＤと、割り当てたＩＰアドレスとを含めたＩＰ通知信号を生成する。
【００３４】
招集信号発信部２３４は、ＩＰアドレスを割り当てたすべての移動局３００に対して、招集信号を第２通信処理部２２０を介して送信する。
【００３５】
参加表明信号受信部２３６は、招集信号に対する応答として移動局３００から送信されてくる参加表明信号を第２通信処理部２２０を介して受け取る。
【００３６】
機器番号生成部２３８は、参加表明信号受信部２３６から複数の参加表明信号を受け取り、複数の参加表明信号に対応する複数の移動局３００の中から、中継システムを構成するスレーブ端末を決定すると共に、各スレーブ端末に対して機器番号を付与する。機器番号生成部２３８は、各スレーブ端末に対して機器番号通知信号を第２通信処理部２２０を介して送信する。
【００３７】
フレーム同期タイミング生成部２４０は、フレーム同期タイミング信号を生成し、第２通信処理部２２０に出力する。
【００３８】
図５に示す本実施の形態に係る中継局としての移動局（ＭＳ）３００は、移動局２００と同様に、第１の通信方式及び第２の通信方式で通信することができるように構成されている。
【００３９】
図５に示すように移動局（ＭＳ）３００は、ＷＣＤＭＡ方式で基地局装置１００と通信を行う第１通信処理部３１０と、無線ＬＡＮ方式で後述する無線ＬＡＮ端末４００と通信を行う第２通信処理部３２０と、ＤＨＣＰ（Dynamic Host Configuration Protocol）クライアント処理部３３０と、招集信号受信部３４０と、参加表明信号生成部３５０と、フレーム同期信号受信部３６０と、機器番号受信部３７０とを有する。
【００４０】
第１通信処理部３１０は、アンテナを介して受信した無線信号（基地局装置１００から送信された下り回線の無線信号）に無線受信処理を施して、得られた受信信号を第２通信処理部３２０に出力する。第１通信処理部３１０は、送信信号（上り回線の送信信号）に所定の無線送信処理を施して、得られる無線信号をアンテナを介して送信する。
【００４１】
第１通信処理部３１０は、ＷＣＤＭＡ方式で基地局装置１００との間の送受信無線処理を行うＲＦ部３１２と、変復調部３１４と、ＭＡＣ部３１６と、ＩＰ処理部３１８とを有する。
【００４２】
第２通信処理部３２０は、移動局２００から送信されたＩＰアドレス付与制御信号を受信し、ＤＨＣＰクライアント処理部３３０に出力する。第２通信処理部３２０は、ＤＨＣＰクライアント処理部３３０から受け取るＩＰ付与要求信号を移動局２００に送信する。
【００４３】
第２通信処理部３２０は、移動局２００から送信されたＩＰ通知信号を受信し、ＤＨＣＰクライアント処理部３３０に出力する。
【００４４】
第２通信処理部３２０は、移動局２００から送信された招集信号を受信し、招集信号受
信部３４０に出力する。第２通信処理部３２０は、参加表明信号生成部３５０で生成された参加表明信号を受け取り、移動局２００に送信する。第２通信処理部３２０は、移動局２００から送信された機器番号通知信号を受信し、機器番号受信部３７０に出力する。
【００４５】
第２通信処理部３２０は、移動局２００から送信されたフレーム同期タイミング信号を受信し、フレーム同期信号受信部３６０に出力する。
【００４６】
第２通信処理部３２０は、アンテナを介して受信した無線信号（後述する無線ＬＡＮ端末４００から送信された上り回線の無線信号）に、タイミング信号に基づくタイミングで無線受信処理を施す。そして、第２通信処理部３２０は、得られた受信パケットのうち特定のパケットについてＩＰ処理（ＩＰパケットの送信元アドレスを、移動局２００から割り当てられたＩＰアドレスに置き換える処理を含む）を行った後、そのパケットを第１通信処理部３１０に渡す。ここで特定のパケットは次のように選択される。パケット番号と、機器番号通知信号に含まれている移動局の数とのモジュロ演算(剰余演算)が行なわれ、解が自身の機器番号と一致するＩＰパケットが選択される。
【００４７】
第２通信処理部３２０は、第１通信処理部３１０から受け取る下り回線の受信信号をＭＩＭＯ通信用のフレームに変換する。第２通信処理部３２０は、ＭＩＭＯ通信用のフレームに、機器番号受信部３７０から受け取る機器番号に応じたパイロット信号（つまり、機器番号ごとにパイロット信号の信号系列が異なる）を付加する。第２通信処理部３２０は、得られたフレームに所定の無線送信処理をフレーム同期タイミング信号に基づくタイミングで施して、得られる無線信号をアンテナを介して送信する。
【００４８】
第２通信処理部３２０は、無線ＬＡＮ方式で無線ＬＡＮ端末４００との間の送受信無線処理を行うＲＦ部３２２と、変復調部３２４と、ＭＡＣ部３２６と、ＭＩＭＯフレーム生成部３２８とを有する。ＩＰ処理部３１８は、第２通信処理部３２０の一部としても機能する。なお、上り通信の際には、ＭＩＭＯフレーム生成部３２８は、特に処理を行わない。
【００４９】
招集信号受信部３４０は、第２通信処理部３２０から招集信号を受け取り、参加表明信号生成部３５０に出力する。
【００５０】
参加表明信号生成部３５０は、招集信号を受け取ると参加表明信号を生成し、第２通信処理部３２０を介して移動局２００に送信する。
【００５１】
フレーム同期信号受信部３６０は、フレーム同期タイミング信号を受け取り、この信号に応じたタイミング信号を第２通信処理部３２０に出力する。
【００５２】
機器番号受信部３７０は、機器番号通知信号を受け取り、機器番号通知信号に含まれる機器番号及び移動局の数を第２通信処理部３２０に出力する。
【００５３】
図６に示すように本実施の形態に係る無線ＬＡＮ端末４００は、ＲＦ部４１０と、ストリーム信号分離部４２０と、データ復調部４３０と、送信データ生成部４４０と、データ変調部４５０と、チャネル行列推定部４６０とを有する。
【００５４】
ＲＦ部４１０は、アンテナを介して受信した下り受信信号に無線受信処理を施して、ストリーム信号分離部４２０及びチャネル行列推定部４６０に出力する。
【００５５】
チャネル行列推定部４６０は、上記した中継システムを構成する移動局から送信されるパイロット信号（直交符号）に基づいてチャネル推定し、得られたチャネル推定行列を、
ストリーム信号分離部４２０に出力すると共に、送信データ生成部４４０、データ変調部４５０、及びＲＦ部４１０を介して送信する。
【００５６】
ストリーム信号分離部４２０は、チャネル行列推定部４６０で得られたチャネル推定行列を用いて、中継システムによってＭＩＭＯ送信された信号を分離する。分離された信号は、それぞれ基地局装置１００にて形成された部分送信データ系列に対応しており、データ復調部４３０に出力される。
【００５７】
データ復調部４３０は、ストリーム信号分離部４２０から受け取る分離信号をそれぞれ復調処理して複数のデータ系列を得ると共に、この複数のデータ系列を連結（送信データ生成部１１０における分割処理と逆の処理）してデータ系列を得る。
【００５８】
送信データ生成部４４０は、上り送信データ系列を生成してデータ変調部４５０に出力する。
【００５９】
データ変調部４５０は、上り送信データ系列に変調処理を施して、ＲＦ部４１０に出力する。
【００６０】
以上のように構成される基地局装置１００、移動局２００、３００、及び無線ＬＡＮ端末４００から成る無線通信システムの動作について図７及び図８を参照して説明する。ここでは、中継システムを構築する移動局が４つの場合を例にとり説明する。
【００６１】
［中継システム構築の前処理］
マスタ端末である移動局２００は、無線ＬＡＮ通信を利用して、同じＥＳＳＩＤを持つ移動局３００に対してＩＰアドレスを付与する。
【００６２】
すなわち、移動局２００は、ＩＰアドレス付与制御信号を送信し、このＩＰアドレス付与制御信号の応答信号としてＩＰ付与要求信号を送信してきた移動局３００に対してＩＰアドレスを付与する。付与されたＩＰアドレスは、ＩＰ通知信号によって移動局３００に通知される。
【００６３】
こうして移動局２００と移動局３００とは、互いのＩＰアドレスを持ち合うことができ、これ以降、ＩＰアドレスを用いて互いに通信することができる。
【００６４】
［中継システム構築処理］
マスタ端末である移動局２００は、まず、ＩＰアドレスを割り当てたすべての移動局３００に対して、招集信号を送信する。そして、移動局２００は、移動局３００−１〜３が送信する参加表明信号を受信する。移動局２００にて受信された参加表明信号の送信元移動局が、自局と共に中継システムを構築するスレーブ端末の候補（ここでは、移動局３００−１〜３）となる。
【００６５】
ここで移動局３００から移動局２００への参加表明信号の送信は、無線ＬＡＮ回線を通じて行われる。例えば、参加表明信号の送信は、ＣＳＣＤ(Carrier Sense Collision Detection：キャリアセンス衝突検出)方式によって行われる。通常、移動局２００に近い移動端末３００から順番に招集信号が受信されるので、参加表明信号の送信もその順番で行われる。このため、通常、この順番で機器番号も付与されることになる。
【００６６】
そして移動局２００は、スレーブ端末候補の中からスレーブ端末（ここでは、移動局３００−１〜３）を決定し、自局及びスレーブ端末に関する情報、すなわち中継システム情報を基地局装置１００に送信する。こうして複数の移動局から柔軟に中継システムを構築
することができるので、１つの移動局のみを中継局として選択する従来のシステムに比べて、安定的な通信を可能とする無線通信システムを実現することができる。
【００６７】
さらに、移動局２００は、スレーブ端末（ここでは、移動局３００−１〜３）に対してフレーム同期タイミング信号を送信する。スレーブ端末である移動局３００が移動局２００の送信タイミングに合わせて信号送信することにより、マスタ端末及びスレーブ端末の全体で下りＭＩＭＯ送信を行うことができる。
【００６８】
［下り無線通信処理］
基地局装置１００では、１つの送信データ系列から、中継システムを構成する移動局の数と同数の部分送信データ系列が形成され、部分送信データ系列から形成される並列な変調信号が多重される。各並列変調信号は、図７では、パケット１〜４として示されている。各並列変調信号は、互いに異なる移動局（ここでは、移動局２００及び移動局３００−１〜３）によって中継されて無線ＬＡＮ端末４００に伝送される。そのため、移動局が対応する変調信号を抽出できるように、基地局装置１００は、複数の並列変調信号を分割多重（ＴＤＭＡ、ＦＤＭＡ、ＣＤＭＡなど）する。また、基地局装置１００と中継システムとの間の通信は、中継システムと無線ＬＡＮ端末４００との間の通信方式と異なる方式で行われる。
【００６９】
中継システムでは、移動局２００、及び移動局３００−１〜３のそれぞれが所望のパケットを受信処理し、さらにＭＩＭＯ通信用のフレームに変換する。そして、移動局２００、及び移動局３００−１〜３は、互いにタイミングを合わせて、ＭＩＭＯ通信用のフレームを送信する。こうして中継システムによる下りＭＩＭＯ送信が行われる。
【００７０】
無線ＬＡＮ端末４００では、中継システムから下りＭＩＭＯ送信された信号を信号分離した後に、復調処理及び連結処理することにより受信データを得る。
【００７１】
こうして、複数の移動局でＭＩＭＯ伝送を行う中継アクセスポイントを構築することができ、下り回線の通信速度を高速化することができる。一般にＭＩＭＯ伝送では異なる送信アンテナ間の電力変動相関が低い程、高スループットを期待できる。本実施の形態によれば、ＭＩＭＯ伝送にかかるアンテナは基本的に異なる移動端末に設けられているため、各アンテナ間の距離は通信に利用するキャリアの波長より十分に長いことが予想される。従って、アンテナ間の電力変動相関は低くなるため、ＭＩＭＯ伝送を効率よく実現することができる。
【００７２】
［上り無線通信処理］
図８に示すように無線ＬＡＮ端末４００では、上り送信データ（同図では、パケット１〜４から成るストリーム１）が中継システムを構成する移動局２００、及び移動局３００−１〜３のすべてに対して送信される（ＳＩＳＯ伝送）。
【００７３】
移動局２００、移動局３００−１〜３のそれぞれは、互いに異なるパケットを抽出して、抽出パケットを同期信号に基づくタイミングで、すなわち同期して送信する。ここで抽出パケットの選択は、上記したように、パケット番号と、機器番号通知信号に含まれている移動局の数とのモジュロ演算(剰余演算)が行なわれ、解が自身の機器番号と一致するＩＰパケットが選択される。
【００７４】
なお、移動局２００及び移動局３００−１〜３と、基地局装置１００との間の通信にＦＤＭＡ方式が適用される場合には、移動局２００、移動局３００−１〜３は、それぞれ異なる周波数でパケットを基地局装置１００に対して送信する。また、ＣＤＭＡ方式が適用される場合には、移動局２００、移動局３００−１〜３は、それぞれ異なる拡散符号でパ
ケットを拡散した後に、基地局装置１００に対して送信する。
【００７５】
ところで、無線通信の特性上、ＩＰパケットは、その一部が欠落する、又は、重複が発生する可能性がある。また、ＩＰパケット番号と機器番号との照合ができないなどの理由により、ＩＰパケットの一部が欠落する、又は、ＩＰパケットが重複する可能性もある。この場合、ＵＤＰやＴＣＰなどの通信プロトコル機能に依存する。この通信プロトコル機能によって、多くの場合、欠落したパケットに対しては再送処理が行われ、また、重複したパケットに対しては切り捨て処理が行われるので、上記した中継機能は保たれる。
【００７６】
一般的に無線ＬＡＮ環境での通信スループットは移動通信網に比べて高いため、複数の移動通信端末にトラヒックを分散することで、より高速で安定した通信が可能となる。
【００７７】
このように本実施の形態によれば、中継システムを構成するマスタ端末である移動局（２００）は同期信号を送信し、スレーブ端末である移動局（３００）は同期信号を受信し、移動局（２００）及び移動局（３００）は、基地局装置（１００）から送信されたデータを、同期信号に基づいて互いに送信タイミングを合わせて無線ＬＡＮ端末（４００）に送信する。こうすることにより、複数の移動局で柔軟に中継システムが構築されるので、従来の無線通信システムにて生じていた中継端末のＲＦリソースの数、及びその使用状況によって通信ができない状況を回避できる可能性を高くすることができる。よって、この中継システムを備えることにより、より安定的な通信を可能とする無線通信システムが実現される。
【００７８】
（実施の形態２）
本実施の形態では、中継システムを構成する移動局のすべてが無線ＬＡＮ端末から送信されたストリームをそのまま基地局装置に同期して転送し、基地局装置が受信ストリームを最大比合成する。
【００７９】
図９に示すように無線ＬＡＮ端末４００では、上り送信データ（同図では、パケット１〜４から成るストリーム１）が中継システムを構成する移動局２００、及び移動局３００−１〜３のすべてに対して送信される（ＳＩＳＯ伝送）。
【００８０】
移動局２００、移動局３００−１〜３のそれぞれは、受信ストリームを同期信号に基づくタイミングで、すなわち同期して送信する。なお、ＣＤＭＡ方式が適用される場合には、移動局２００、及び移動局３００−１〜３は、それぞれ異なる拡散符号でパケットを拡散した後に、基地局装置１００に対して送信する。
【００８１】
基地局装置１００では、受信ストリームを復調した後、最大比合成を行う。こうして、基地局装置１００は最大比合成ダイバーシチを行うので、信号電力対雑音電力比（ＳＮＲ）を大きくすることができる。
【００８２】
（実施の形態３）
本実施の形態では、中継システムを構成する移動局のすべてが無線ＬＡＮ端末から送信されたストリームをそのまま基地局装置に非同期で転送し、基地局装置が受信ストリームのうち最も品質の良いものを選択する。選択された受信ストリームは、基地局装置１００と移動局２００及び移動局３００との間で用いられる通信方式における、上位層に受け渡され、その他の受信ストリームは廃棄される。
【００８３】
図９に示すように無線ＬＡＮ端末４００では、上り送信データ（同図では、パケット１〜４から成るストリーム１）が中継システムを構成する移動局２００、及び移動局３００−１〜３のすべてに対して送信される（ＳＩＳＯ伝送）。
【００８４】
移動局２００及び移動局３００−１〜３のそれぞれは、受信ストリームを非同期で送信する。なお、移動局２００及び移動局３００−１〜３と、基地局装置１００との間の通信にＦＤＭＡ方式が適用される場合には、移動局２００及び移動局３００−１〜３は、それぞれ異なる周波数でパケットを基地局装置１００に対して送信する。ＣＤＭＡ方式が適用される場合には、移動局２００及び移動局３００−１〜３は、それぞれ異なる拡散符号でパケットを拡散した後に、基地局装置１００に対して送信する。
【００８５】
基地局装置１００では、受信ストリームのうち最も品質の良いものが選択され、選択された受信ストリームが上位層で優先的に使用される。
【産業上の利用可能性】
【００８６】
本発明の中継システム及び無線通信システムは、より安定的な通信を可能とするものとして有用である。
【図面の簡単な説明】
【００８７】
【図１】アドホックネットワークにＭＩＭＯ通信方式を適用させた従来の無線通信システムの説明に供する図
【図２】アドホックネットワークにＭＩＭＯ通信方式を適用させた従来の無線通信システムの説明に供する他の図
【図３】本発明の実施の形態１に係る基地局装置の構成を示すブロック図
【図４】実施の形態１に係る移動局（中継マスタ端末）の構成を示すブロック図
【図５】実施の形態１に係る移動局（中継スレーブ端末）の構成を示すブロック図
【図６】実施の形態１に係る無線ＬＡＮ端末の構成を示すブロック図
【図７】実施の形態１に係る無線通信システムの動作（下り伝送）説明に供する図
【図８】実施の形態１に係る無線通信システムの動作（上り伝送）説明に供する図
【図９】実施の形態２に係る無線通信システムの動作（上り伝送）説明に供する図
【手続補正３】
【補正対象書類名】図面
【補正対象項目名】全図
【補正方法】変更
【補正の内容】
【図１】
2009113129.tif 000012
【図２】
2009113129.tif 000013
【図３】
2009113129.tif 000014
【図４】
2009113129.tif 000015
【図５】
2009113129.tif 000016
【図６】
2009113129.tif 000017
【図７】
2009113129.tif 000018
【図８】
2009113129.tif 000019
【図９】
2009113129.tif 000020
【国際調査報告】
2009113129.tif 000021
2009113129.tif 000022
2009113129.tif 000023
2009113129.tif 000024